(57)【要約】      （修正有）【課題】顔に装着したままで、口の付近だけをあけて飲食可能なマスクを提供する。【解決手段】左右の耳掛け部と口や鼻を被覆する被覆部があり、被覆部に横摘み片１１、１２と下摘み片１３の双方又はいずれか一方がある。左右の耳掛け部の根元側は被覆部の左右の横縁の縦方向中程よりも上側にある。左右の横摘み片は被覆部の左右の横縁の夫々にあり、夫々の横縁の中程又はそれよりも下方にあり、夫々の横縁から外側に突出している。下摘み片は被覆部の下縁の横幅方向ほぼ中央部付近にあり、下縁の下方に突出している。左右の耳掛け部を耳に掛けてマスクを顔に装着した状態で、両横摘み片の双方、又は一方、又は下摘み片を指で摘まんで持ち上げると、被覆部の下部４ａが前上方に折れ曲がって持ち上げられて、口の前が開放されて、マスクをしたままで口から飲食できる。【選択図】図１
0003231534.tif 000002
【実用新案登録請求の範囲】
【請求項１】
リング状の左右の耳掛け部と、鼻及び口を被覆できる被覆部を備えたマスクにおいて、
左右の耳掛け部は、その根元側が被覆部の左右の横縁の縦方向中程よりも上側にあり、
被覆部の左右の横縁の夫々に、夫々の横縁よりも外側に突出する横摘み片があり、夫々の横摘み片は夫々の横縁の縦方向中程又はそれよりも下方にあり、
左右の耳掛け部を耳に掛けてマスクを顔に装着した状態で、前記両横摘み片の双方又はいずれか一方を指で摘まんで持ち上げると、少なくとも被覆部の下部が前上方に折れ曲がって持ち上げられて、口及びその付近の前方が開放されて、マスクをしたままで、口から飲食できるようにした、
ことを特徴とするマスク。
【請求項２】
リング状の左右の耳掛け部と、鼻及び口を被覆できる被覆部を備えたマスクにおいて、
左右の耳掛け部は、その根元側が被覆部の左右の横縁の縦方向中程よりも上側にあり、
被覆部の下縁に下摘み片があり、下摘み片は下縁の横幅方向ほぼ中央部から下縁の下方に突出しており、
左右の耳掛け部を耳に掛けてマスクを顔に装着した状態で、前記下摘み片を指で摘まんで持ち上げると、被覆部の下部が前上方に折れ曲がって持ち上げられて、口及びその付近の前方が開放されて、マスクをしたままで、口から飲食できるようにした、
ことを特徴とするマスク。
【請求項３】
リング状の左右の耳掛け部と、鼻及び口を被覆できる被覆部を備えたマスクにおいて、
左右の耳掛け部は、その根元側が被覆部の左右の横縁の縦方向中程よりも上側にあり、
被覆部の左右の横縁の夫々に、夫々の横縁よりも外側に突出する横摘み片があり、夫々の横摘み片は夫々の横縁の縦方向中程又はそれよりも下方にあり、
被覆部の下縁の横幅方向ほぼ中央部に下摘み片があり、下摘み片は下縁よりも下方に突出しており、
左右の耳掛け部を耳に掛けてマスクを顔に装着した状態で、前記両横摘み片を指で摘まんで又は下摘み片を指で摘まんで持ち上げると、少なくとも被覆部の下部が前上方に折れ曲がって持ち上げられて、口及びその付近の前方が開放されて、マスクをしたままで、口から飲食できるようにした、
ことを特徴とするマスク。
【請求項４】
請求項１から請求項３のいずれか１項に記載のマスクにおいて、
被覆部の下縁の左右の角部が除去されている、
ことを特徴とするマスク。
【請求項５】
請求項４記載のマスクにおいて、
拡がり部の幅方向両端側が被覆部の下部に固定されて、拡がり部の幅方向中央部よりも上下方向に拡がりにくくなっている、
ことを特徴とするマスク。
【請求項６】
請求項１から請求項５のいずれか１項に記載のマスクにおいて、
被覆部にワイヤーと拡がり部の双方又はいずれか一方があり、
ワイヤーは細長であり、被覆部の上縁寄りの箇所に横長方向に設けてあり、
拡がり部は被覆部の縦幅方向中程にあり、被覆部の一部を縦方向に折り重ねてあり、縦方向下方に引くと重なりが拡がって被覆部の縦幅が広がるようにしてある、
ことを特徴とするマスク。
【請求項７】
請求項６記載のマスクにおいて、
耳掛け部の根元側が被覆部の横縁であって、ワイヤーの両外側にある、
ことを特徴するマスク。
【考案の詳細な説明】
【技術分野】
【０００１】
本考案は、顔に掛けた（装着した）ままで、口の部分だけを開いて（あけて）飲食可能なマスクに関する。
【背景技術】
【０００２】
新型コロナウイルスが世界中に蔓延しており、各国で感染防止の対策が講じられており、ワクチンの開発も進められている。国によってはワクチンの接種も始まっている。日本でも、感染拡大防止のために、手洗い、うがい、消毒、マスクの装着等々の徹底、ソーシャルディスタンスの確保、３密回避などが呼び掛けられている。政府並びに都道府県からは緊急事態宣言が発出されて外出自粛、出勤の抑制、テレワークの奨励、飲食店の営業時間短縮等の協力要請も出されている。
【０００３】
マスクの装着は感染防止のために有効な手段として推奨されており、国民の多くが装着に努めている。マスクは、装着したままでは飲食困難であるため、飲食時には外し、飲食が済んでから装着するのが通常である。しかし、この場合は、外したマスクをどこに収納しようか、どこに置こうか、といった思案をしたり、置き場所を探したり、確保したりしなければならないといった面倒がある。また、マスクを外すため、感染防止の面から、飲食中の会話は控えざるを得ない。
【０００４】
感染防止の面からは、飲食物を口に入れるときだけマスクを外し、入れた後は装着し、その繰り返しで飲食することも推奨されている。しかし、飲食物を口に入れる度に外し、入れたら装着し、それを繰り返すことは非常に煩雑であり、面倒である。この面倒を解消するため、装着したままで、口だけを開いて飲食可能としたマスクが開発されている（特許文献１、２）。
【０００５】
特許文献１、２のマスクは構造が複雑であり、開閉操作が面倒である。
【先行技術文献】
【特許文献】
【０００６】
【特許文献１】特許第５４２１５０７号公報
【特許文献２】特開２０１３−１１１４７１号公報
【考案の概要】
【考案が解決しようとする課題】
【０００７】
本考案の解決課題は、装着したままで、口及びその付近（以下、「口」という。）だけをあけて飲食することができ、あけるための構造が簡潔で、開閉操作の容易なマスクを提供することにある。
【課題を解決するための手段】
【０００８】
本考案のマスクは、耳に掛ける耳掛け部と、少なくとも鼻と口を被覆できる被覆部を備えたマスクであり、被覆部の横幅方向左右の横縁と縦幅方向下縁の双方又はいずれか一方に摘み片を設け、左右の耳掛け部を耳に掛けてマスクを顔に装着した状態で、左右の横縁の摘み片（横摘み片）の双方又は下縁の摘み片（下摘み片）を指で摘まんで持ち上げると、口を被覆していた被覆部下部が前上方に折り返されて（折り曲げられて）、少なくとも口の前が開いて、口がマスクの下から出て（露出して）、マスクを装着したままでも口から飲食でき、横摘み片又は下摘み片を指で引き下げると、先に折り返された被覆部下部が下方に引き戻されて口を被覆できるようにしたものである。
【考案の効果】
【０００９】
本考案のマスクは、顔に装着したままで、左右の横摘み片又は下摘み片を指で持ち上げるだけで、口を被覆していた被覆部下部が前上方に折り返されて口が出るので、マスクを掛けたままで飲食することができ、横摘み片又は下摘み片を指で引き下げて、先に折り返した被覆部下部を下方に引き戻して口を被覆することができるので、マスクを外すことなく飲食したり会話をしたりすることができる。また、飲食時にマスクを外したり、装着したりする煩雑さと面倒がなく、落ちついて飲食することもできる。
【図面の簡単な説明】
【００１０】
【図１】本考案のマスクの第一の実施例の正面図。
【図２】本考案のマスクの第二の実施例の正面図。
【図３】本考案のマスクの第三の実施例の正面図。
【図４】本考案のマスクを装着して、口を開けて飲食中の正面図。
【図５】（ａ）（ｂ）は本考案のマスクを引き上げる場合の説明図。
【図６】（ａ）（ｂ）は本考案のマスクを引き下げる場合の説明図。
【考案を実施するための形態】
【００１１】
（実施形態１）
図１は本考案のマスクの一例である。このマスク１は、市販のマスクと同様に、二つの耳掛け部２、３と、鼻や口の付近を被覆する被覆部４があり、被覆部４の上縁５寄りの箇所にワイヤー６があり、被覆部４の縦幅方向中央付近から下方に二本の拡がり部（プリーツ）７ａ、７ｂがあるマスクである。
【００１２】
左右の耳掛け部２、３は紐や幅広のテープでリング状に形成されて耳に掛けやすくなっている。ワイヤー６はマスク装着時に鼻の輪郭に沿って湾曲させることができる軟らかさである。拡がり部７ａ、７ｂはいずれも被覆部４の横幅方向に横長であり、上下に二重に折り畳まれており、被覆部４の下部４ａを引き下げると下方に拡がって被覆部４の縦幅が広がり、被覆部４の下縁８が顎の下まで被さる（図５）ようにしてある。拡がり部７ａ、７ｂの本数は二本より多くても少なくてもよい。
【００１３】
本考案のマスクは前記構成以外のマスクであってもよいが、以下の説明では前記マスクの場合を一例として説明する。
【００１４】
図１のマスク１の特徴は、被覆部４の横幅方向左右の横縁９、１０に横摘み片１１、１２を、縦方向の下縁８に下摘み片１３を設けたことにある。この構造とすることにより、マスク１を掛けたままで、左右の横摘み片１１、１２の双方又は一方、又は下摘み片１３を指で摘まんで持ち上げると、被覆部４の下部４ａが図４のように前上方に折れ曲がって持ち上げられ、口１４の前があいて（開いて）マスクの下から口１４が出て、マスク１を装着したままで口１４から飲食できる。口１４に飲食物を入れてから下摘み片１３又は横摘み片１１、１２の双方又は一方を引き下げると、先に折れ曲がって持ち上げられた被覆部４の下部４ａが引き下げられて、口１４が被覆される。
【００１５】
図１のマスク１では、左の耳掛け部２の根元側２ａ、２ｂを被覆部４の左の横縁９に取り付け、右の耳掛け部３の根元側３ａ、３ｂを被覆部４の右の横縁１０に取り付けてある。上の根元側２ａ、３ａはワイヤー６の軸方向両端部側方に取り付け、下の根元側２ｂ、３ｂはワイヤー６よりも少し下に取り付けてある。根元側２ａ、２ｂ、３ａ、３ｂの取り付け位置はこれ以外の箇所であってもよいが、少なくとも、被覆部４の中程よりも上縁５寄りの箇所、好ましくはワイヤー６の横外側に取り付けると、横摘み片１１、１２を持ち上げたときに、被覆部４の下部４ａが図５（ｂ）のように上方に折れ曲がって持ち上がりやすくなる。
【００１６】
図１の左の横摘み片１１は被覆部４の左の横縁９であって、下の拡がり部７ａよりも下の左横に取り付けられて横縁９の外側に突出しており、右の横摘み片１２は被覆部４の右の横縁１０であって、下の拡がり部７ａよりも下の右横に取り付けられて当該横縁１０の外側に突出している。左右の横摘み片１１、１２の形状は他の形状であってもよく、大きさは指で摘み易い程度にしてある。
【００１７】
図１の下摘み片１３は被覆部４の下縁８の横幅方向ほぼ中央部に取り付けられて、下縁８の下方に突出している。下摘み片１３の形状も他の形状とすることができ、大きさも指で摘み易い程度にしてある。
【００１８】
（実施形態２）
図２は実施形態２のマスク１である、このマスク１の基本的構造は図１のマスクと同じであり、異なるのは、左右の耳掛け部２、３の根元側２ｂ、３ｂの取付け位置と、左右の横摘み片１１、１２の取付け位置である。
【００１９】
図２のマスク１では、耳掛け部２、３の上の根元側２ａ、３ａと、下の根元側２ｂ、３ｂをワイヤー６の横にまとめて取り付け、左の横摘み片１１と右の横摘み片１２を二本の拡がり部７ａ、７ｂに跨がせて、図１の場合よりも多少上に取り付けてある。
【００２０】
（実施形態３）
図３は実施形態３のマスク１である、このマスク１の基本的構造も図１のマスクと同じであり、異なるのは、左右の横摘み片１１、１２を設けずに、下摘み片１３のみを設け、被覆部４の下縁の左右の角部９ａ、１０ａ（図１、図２）を切除したことである。なお、被覆部４の下縁の左右の角部９ａ、１０ａは切除せずにそのままであってもよいが、左右の角部９ａ、１０ａがあると、装着時に、被覆部４の横縁９、１０の下部が前方に張り出して顔から浮き上がり易い。図３のように左右の角部９ａ、１０ａを切除（除去）することにより前記張り出し、浮き上がりが解消され、被覆部４の下部４ａが顔に接触（フィット）し易くなる。また、下部４ａと顔の間に隙間ができにくくなり、被覆部４全体で顔が密閉され、着用時の体裁も良くなる。更に、小型になり、左右の横摘み片１１、１２が付いてないので体裁もよく、外出用として適する。この場合、上下の拡がり部７ａ、７ｂの双方又は下の拡がり部７ａの幅方向両端部１５を、被覆部４の下部４ａに糸で縫い付けるとか他の方法で固定しておくと、被覆部４の下部４ａを顎の下まで下げたときに、拡がり部７ａ、７ｂの双方又は下の拡がり部７ａのうち幅方向中央部は上下に拡がるが、固定されている両端部１５は上下に拡がりにくくなるため、被腹部４の下部４ａの幅方向両側（除去部付近）が顔に接触（フィット）し易くなる。拡がり部が上下に三本以上ある場合は、全部の拡がり部の幅方向両端部を固定してもよく、下方の拡がり部の幅方向両端部だけを固定しておいてもよい。
【００２１】
（実施形態４）
本考案では、左右の横摘み片１１、１２を設けて、下摘み片１３を設けないものであってもよい。この場合も、被覆部４の下縁の左右角部は切除しても、切除しなくてもよい。
【００２２】
（実施形態５）
本考案では、左右の横摘み片１１、１２を図２に仮想線で示すように、被覆部４の下縁８の左右の横縁９、１０寄りの箇所に設けることもできる。
【００２３】
［使用例］
図１〜図３のマスク１は、通常のマスクと同様に、二つの耳掛け部２、３を耳に掛けて、被覆部４で口１４や鼻を被覆し、被覆後に、下摘み片１３を顎の下まで引き下げて、拡がり部７ａ、７ｂを上下に拡げて顔を被覆することができる。飲食するときは、装着したままで、図５（ａ）（ｂ）のように左右の横摘み片１１、１２の双方を指先で摘んで上方に上げる（引き上げる）と、被覆部４の下部４ａが前上方に折り曲げられて、口の付近がマスクの下から外に出る。その状態で飲食することができる。図６（ａ）（ｂ）のように下摘み片１３を指先で摘んで下に引き下げると口１４の部分が閉じるので、食事しながら会話を楽しむことができる。左右の横摘み片１１、１２のいずれか一方を摘まんで引き上げたり、引き下げたりすることもできる。右利きの人は右（マスク装着時左手側）の横摘み片１２を左手で持ち上げることができ、左利きの人は左（マスク装着時右手側）の横摘み片１１を右手で持ち上げることができるので、利き手で箸を持ったまま、他方の手で摘み上げて飲食することができ、便利である。
【００２４】
図３のマスクは、図１、図２の左右の横摘み片１１、１２がないため、下摘み片１３を摘まみ上げて被覆部４の下部４ａを前上方に折り曲げて口の前を開けることができ、下摘み片１３を引き下げて、被覆部４の下部４ａを戻すことができる。下摘み片１３を顎の下から喉の辺りまで引き下げると、拡がり部７ａ、７ｂが拡がって鼻から口の下まで確実に被覆することができる。下摘み片１３がない既存のマスクでは、被覆部４の下部を手で持って引き下げるが、顎の下まで引き下げにくいとか、顎の下まで引き下げるとマスク全体が下がって鼻が出てしまうことがある。この場合、マスクの被覆部４を手で持って上にあげている人を見かけることがあるが、マスクが汚れている場合は手が汚れるので、感染防止の面から問題がある。本考案のように、下摘み片１３があると、それを引いて顎の下まで被覆することができる。また、引き下げ過ぎて鼻が出てしまうこともなく、被覆部４を手で持ち上げる必要もないため、マスクの汚れで手が汚れることもなく、感染の恐れもない。
【００２５】
（その他の実施形態）
本考案のマスク１は耳掛け部２、３の形状、根元側２ａ、２ｂ、３ａ、３ｂの取付け位置、被覆部４の形状やサイズ、左右の横摘み片１１、１２、下摘み片１３の形状、大きさ、取付け位置等は使い勝手が良くなるように設計変更することができる。マスクは耳掛け部２、３と被覆部４が一体型のものであってもよく、ワイヤー６や拡がり部７ａ、７ｂがないマスクであってもよい。
【符号の説明】
【００２６】
１          マスク
２          左の耳掛け部
３          右の耳掛け部
２ａ、２ｂ  （耳掛け部の）根元側
３ａ、３ｂ  （耳掛け部の）根元側
４          被覆部
４ａ        （被覆部の）下部
５          （被覆部の）上縁
６          ワイヤー
７ａ、７ｂ  拡がり部（プリーツ）
８          （被覆部の）下縁
９          左の横縁
９ａ        （被覆部の下縁の）左の角部
９ｂ        左の除去縁
１０        右の横縁
１０ａ      （被覆部の下縁の）右の角部
１０ｂ      右の除去縁
１１        左の横摘み片
１２        右の横摘み片
１３        下摘み片
１４        口
１５        （拡がり部の）両端部
【図１】
0003231534.tif 000003
【図２】
0003231534.tif 000004
【図３】
0003231534.tif 000005
【図４】
0003231534.tif 000006
【図５】
0003231534.tif 000007
【図６】
0003231534.tif 000008